(57)【特許請求の範囲】
【請求項１】
下端が開口した枠体内側に並べて架設された複数の回転軸の周囲に亙って、ループ状をしたコンベヤが、そのコンベヤの上方側の巡回部を枠体内方に位置させると共に、そのコンベヤの下方側の巡回部を前記枠体の下端開口部に覗かせて、枠体内側の上下方向を向く面内を前後方向に巡回可能に支持され、前記枠体が、該枠体内側に支持されたコンベヤの下方側の巡回部の巡回する方向が川流水又は海流水の進行方向を向くように、川底又は海底から立設されたガイド棒の周囲に上下方向に摺動自在に支持され、前記枠体内側に支持されたコンベヤの巡回部外側の長手方向に沿って、川流水又は海流水を流入させるための複数のバケットが、そのコンベヤの下方側の巡回部外側に並ぶ複数のバケットの底部からバケットの開口部に向かう方向が、川流水又は海流水の進行方向とは逆方向を向くように、所定のピッチで並べて付設され、前記枠体に、該枠体内側にコンベヤを支持する前記回転軸が川流水又は海流水の水面近くに位置するように、枠体を川流水又は海流水の水面に浮かせた状態とするための気体の入ったフロートが付設され、前記コンベヤを巡回可能に支持する回転軸であって、コンベヤの巡回に伴って回転する回転軸に発電機が連結され、
さらに、海面近くを海流水の進む方向とは逆方向に戻る波により、コンベヤの下方側の巡回部外側に並ぶ複数のバケットが、海流水の進行方向とは逆方向に押し戻されて、コンベヤが逆方向に巡回するのを防ぐための逆転防止機構が備えられたことを特徴とする川流水又は海流水利用の発電装置。
【請求項２】
前記枠体がガイド棒周囲を下方に降下し過ぎた状態となるのを防ぐための、ストッパ機構が備えられたことを特徴とする請求項１記載の川流水又は海流水利用の発電装置。
【請求項３】
前記コンベヤの巡回部外側の長手方向に沿って並べて付設された複数の各バケットの開口部外側縁に、川流水又は海流水バケット内に流入させるためのガイド板が、バケットの胴部側とは反対側の斜め外方に向けて起立させて備えられたことを特徴とする請求項１又は２記載の川流水又は海流水利用の発電装置。
【請求項４】
川流水又は海流水を前記コンベヤの下方側の巡回部外側に並ぶバケットの開口部近くに集めて、そのバケット内に流入させるためのガイド堰が、川底又は海底近くに設置されたことを特徴とする請求項１、２又は３記載の川流水又は海流水利用の発電装置。
【請求項５】
前記コンベヤが、チェーンとスプロケットとの組み合わせからなるものであることを特徴とする請求項１、２、３又は４記載の川流水又は海流水利用の発電装置。
【発明の詳細な説明】
【技術分野】
【０００１】
本発明は、自然界における川流水又は海流水の持つエネルギを有効利用して、発電機を回転させる、川流水又は海流水利用の発電装置に関する。
【背景技術】
【０００２】
地球環境に優しい、クリーンなエネルギ源から電力を得る方策の一つとして、自然界に存在する川流水又は海流水の持つエネルギを利用して、水車を回転させることにより、発電機を回転させる発電装置がある。
【発明の開示】
【発明が解決しようとする課題】
【０００３】
しかしながら、従来の川流水又は海流水の持つエネルギを利用して発電機を回転させる水車利用の発電装置は、いずれも、その川流水又は海流水の持つエネルギを効率よく引き出すことが可能な構造をしてはおらず、電力が大量消費される現代社会における、電力需要を十分に満たすまでには、至っていない。
【０００４】
本発明は、このような課題に鑑みてなされたもので、自然界に存在する川流水又は海流水の持つエネルギを効率よく引き出すことを可能とした川流水又は海流水利用の発電装置であって、従来の水車利用の発電装置に比べて、その川流水又は海流水の持つエネルギを利用して回転させる発電機から発生させる電力エネルギを、大幅に高めることのできる、川流水又は海流水利用の発電装置を提供しようとするものである。
【課題を解決するための手段】
【０００５】
このような目的を達成するために、本発明の川流水又は海流水利用の発電装置は、下端が開口した枠体内側に並べて架設された複数の回転軸の周囲に亙って、ループ状をしたコンベヤが、そのコンベヤの上方側の巡回部を枠体内方に位置させると共に、そのコンベヤの下方側の巡回部を前記枠体の下端開口部に覗かせて、枠体内側の上下方向を向く面内を前後方向に巡回するように支持されている。枠体は、該枠体内側に支持されたコンベヤの下方側の巡回部の巡回する方向が川流水（川を流れる水をいう）又は海流水（海を流れる水をいう）の進行方向を向くように、川底又は海底から立設されたガイド棒の周囲に、上下方向に摺動自在に支持されている。コンベヤの巡回部外側の長手方向に沿っては、川流水又は海流水を流入させるための複数のバケットが、そのコンベヤの下方側の巡回部外側に並ぶ複数のバケットの底部からバケットの開口部に向かう方向が川流水又は海流水の進行方向とは逆方向を向くように、所定のピッチで並べて付設されている。そして、そのコンベヤの下方側の巡回部外側に並ぶ複数のバケットのそれぞれに、その開口部から川流水又は海流水が流入するように構成されている。枠体には、該枠体内側にコンベヤを支持する回転軸が川流水又は海流水の水面近くに位置するように、枠体を川流水又は海流水の水面に浮かせた状態とするための気体の入ったフロート（浮袋）が付設されている。コンベヤを巡回可能に支持する回転軸であって、コンベヤの巡回に伴って回転する回転軸には、発電機が連結されている。
【０００６】
このような構造をした川流水又は海流水利用の発電装置においては、川底又は海底から立設されたガイド棒の周囲に支持された枠体を上下方向に適宜量移動させて、その枠体を、該枠体に付設されたフロートにより、枠体内側にコンベヤを支持する回転軸が川流水又は海流水の水面近くに位置するように、川流水又は海流水の水面に浮かせた状態とすることができる。そして、枠体の下端開口部周縁とほぼ同一平面上に位置するコンベヤの下方側の巡回部外側に並ぶ枠体下方に突出する複数のバケットを、その開口部を川流水又は海流水の進行方向とは逆方向に向けて、枠体下方の川流水又は海流水中に浸漬させた状態とすることができる。そして、そのコンベヤの下方側の巡回部外側に並ぶ複数の各バケットに、その開口部から枠体下方を流れる川流水又は海流水を流入させることができる。そして、その複数の各バケットに流入させた川流水又は海流水の持つ運動エネルギ（衝撃力）により、その複数の各バケットが付設されたコンベヤの下方側の巡回部を、川流水又は海流水の進行方向に巡回させることができる。そして、そのコンベヤが巡回するのに伴って、コンベヤを支持する回転軸を回転させることができる。そして、その回転軸に連結された発電機を回転させて、その発電機に電力を発生させることができる。
【０００７】
コンベヤの下方側の巡回部外側に並ぶ複数の各バケット内に流入した川流水又は海流水は、その川流水又は海流水を貯留したバケットが、コンベヤの下方側の巡回部外側に沿って川流水又は海流水の進行方向に移動して、コンベヤ前端の巡回部外側に達し、その開口部が下方を向いた状態となった際に、バケット外部に排出できる。そして、その川流水又は海流水を、枠体の下端開口部から枠体下方に排出できる。
【０００８】
川流水又は海流水を排出して空となったバケットは、コンベヤの上方側の巡回部外側を川流水又は海流水の進行方向とは逆方向に巡回させて、コンベヤの下方側の巡回部外側に再び移動、復帰させることができる。
以下、同様な動作を繰り返し行うことができる。
【０００９】
その際には、コンベヤの下方側の巡回部外側に所定のピッチで並ぶ開口部が川流水又は海流水の進行方向とは逆方向を向く複数のバケットのそれぞれに流入した川流水又は海流水を、その複数のバケット内からバケット外部に漏れ出させずに滞留させたままの状態で、ほぼ水平方向を向くコンベヤの下方側の巡回部外側に沿ってコンベヤの巡回部と共に川流水又は海流水の進行方向に向けて長距離に亙って巡回させ続けることができる。そして、その複数のバケット内に流入した川流水又は海流水の持つ運動エネルギ（衝撃力）の多くを、その川流水を又は海流水を流入させた複数のバケットを介して、その複数のバケットが付設されたコンベヤの巡回部に長時間に亙って伝え続けることができる。そして、その複数のバケット内に流入した川流水又は海流水の持つ運動エネルギの多くを、コンベヤを巡回させるエネルギに有効転換できる。その結果、その複数のバケット内に流入した川流水又は海流水の持つ運動エネルギの多くを、コンベヤの巡回に伴って回転する回転軸に連結された発電機を回転させるエネルギに無駄なく有効利用できる。
【００１０】
それに対して、水車利用の発電装置においては、川流水又は海流水の水面近くの水中を次々と通過する水車の周囲に円輪状に並ぶ複数の各バケット内に、その開口部から川流水又は海流水が流入して、その複数の各バケット内に川流水又は海流水が一時的に貯留された状態になる。そして、その複数の各バケット内に流入した川流水又は海流水の持つ運動エネルギ（衝撃力）を受けて、水車が川流水又は海流水の進行方向に回転する。そして、その水車の回転軸に連結された発電機が回転して、その発電機から電力が発生する。しかしながら、川流水又は海流水の水面近くの水中を次々と通過する水車の周囲に円輪状に並ぶ複数の各バケットは、水車が回転するのに伴って、その開口部がほぼ水平方向を向いた状態からごく短時間のうちに下方を向いた状態となってしまう。そして、その複数の各バケット内に流入した川流水又は海流水が、バケット内に一時的に短時間貯留されるだけで、その下方を向いた状態となったバケットの開口部からバケット外部に早期に流出して、バケット内から短時間のうちに消失してしまう。その結果、水車利用の発電装置においては、川流水又は海流水の通路を次々と通過する水車の周囲に円輪状に並ぶ複数の各バケット内に流入する川流水又は海流水の持つ運動エネルギ（衝撃力）のごく一部しか、水車を回転させるエネルギに有効利用できない。
【００１１】
このような理由から、本発明の川流水又は海流水利用の発電装置によれば、水車を利用して発電機を回転させる従来の発電装置と比べて、その川流水又は海流水の持つ運動エネルギの多くを、発電機を回転させて、電力を発生させるためのエネルギに無駄なく有効変換可能となる。
【００１２】
また、本発明の川流水又は海流水利用の発電装置においては、前述のように、枠体に付設されたフロートにより、枠体内側にコンベヤを支持する回転軸が川流水又は海流水の水面近くに位置するように、枠体を川流水又は海流水の水面に浮かせた状態とすることができる。そして、その枠体内側に支持されたコンベヤの上方側の巡回部を、その巡回部外側に付設された複数のバケットと共に、川流水又は海流水の水面上方に突出させた状態とすることができる。そして、それらの巡回部と複数のバケットとを、移動抵抗の大きい水中ではなくて、移動抵抗の小さい空気中を過大な負荷を掛けずに抵抗少なく円滑に移動させることができる。そのために、本発明の川流水又は海流水利用の発電装置によれば、川流水又は海水流の持つ運動エネルギの多くを、複数のバケットが付設されたコンベヤを巡回させるためのエネルギに無駄に消費せずに、発電機を回転さるためのエネルギに有効転用することが可能となる。
【００１３】
さらに、本発明の川流水又は海流水利用の発電装置においては、海面近くを海流水の進む方向とは逆方向に戻る波により、コンベヤの下方側の巡回部外側に並ぶ複数のバケットが、海流水の進行方向とは逆方向に押し戻されて、コンベヤが逆方向に巡回するのを防ぐための、逆転防止機構が備えられている。
そのため、海流水を利用して発電装置を駆動させた際に、海面近くを海流水の進む方向とは逆方向に戻る波により、コンベヤの下方側の巡回部外側に並ぶ複数のバケットが、海流水の進行方向とは逆方向に押し戻されて、その複数のバケットが付設されたコンベヤの下方側の巡回部が、海流水の進行方向とは逆方向に巡回するのを、防止できる。そして、そのコンベヤが海流水の進行方向とは逆方向に巡回するのに伴って、コンベヤを支持する回転軸に連結された発電機が逆回転し、発電機の発電能力が低下するのを、防止できる。
【００１４】
本発明の川流水又は海流水利用の発電装置においては、ガイド棒周囲に上下方向に摺動自在に支持された枠体が、ガイド棒周囲を下方に降下し過ぎた状態となるのを防ぐための、ストッパ機構を備えると良い。
そうした場合には、そのストッパ機構を用いて、川流水又は海流水の水量が低下した際に、ガイド棒周囲に支持された枠体が該枠体内側に支持されたコンベヤと共に、ガイド棒周囲を下方に降下し過ぎて、川底又は海底に接した状態となるのを、防ぐことができる。そして、その枠体やコンベヤに付設されたバケットが川底又は海底に引っ掛かった状態となって、枠体をガイド棒周囲を円滑に上方に摺動、復帰させることができなくなるのを、防ぐことができる。
【００１５】
本発明の川流水又は海流水利用の発電装置においては、コンベヤの巡回部外側の長手方向に沿って並べて付設された複数の各バケットの開口部外側縁に、川流水又は海流水をバケット内に流入させるためのガイド板を、バケットの胴部側とは反対側の斜め外方に向けて起立させて備えると良い。
そうした場合には、そのバケットの開口部外側縁に備えられたガイド板を利用して、川流水又は海流水の多くを、その川流水又は海流水が通過する水中に浸漬されたコンベヤの下方側の巡回部外側に並ぶ複数のバケットのそれぞれに、その川流水又は海流水の進行方向とは逆方向を向くバケットの開口部からバケット外部にこぼさずに円滑に流入させることができる。そして、その川流水又は海流水の多くが、コンベヤの下方側の巡回部外側に並ぶ複数のバケットのそれぞれに流入せずに、枠体下方を無駄に通過してしまうのを、防ぐことができる。そして、その川流水又は海流水の持つ運動エネルギの多くを、コンベヤを巡回させるエネルギに有効活用できなくなるのを、防ぐことができる。
【００１６】
本発明の川流水又は海流水利用の発電装置においては、川流水又は海流水を前記コンベヤの下方側の巡回部外側に並ぶバケットの開口部近くに集めて、そのバケット内に流入させるためのガイド堰を、川底又は海底近くに設置すると良い。
そうした場合には、その川底又は海底近くに設置されたガイド堰を用いて、川流水又は海流水をコンベヤの下方側の巡回部外側に並ぶバケットの開口部近くに効率よく集めて、そのバケット内に大量に流入させることができる。そして、そのバケット内に流入させた大量の川流水又は海流水の持つ大きな運動エネルギを用いて、そのバケットが付設されたコンベヤの巡回部を川流水又は海流水の進行方向に力強く円滑に巡回させることが可能となる。
【００１７】
本発明の川流水又は海流水利用の発電装置においては、前記コンベヤを、チェーンとスプロケットとを組み合わせたものから構成すると良い。
そうした場合には、そのチェーンとスプロケットとの組み合わせからなるコンベヤを、潤滑剤として働く川流水又は海流水により、スリップさせずに、ほぼ垂直面内を的確に巡回させることができる。そして、そのチェーンの巡回に伴って、チェーンを支持するスプロケットの回転軸に連結された発電機を、チェーンの巡回方向に確実に回転させることができる。その際には、潤滑剤として働く川流水又は海流水を用いて、チェーンをスプロケット周囲を噛み合い抵抗少なく円滑に巡回させることができる。
【発明を実施するための最良の形態】
【００１８】
次に、本発明を実施するための最良の形態を、図面に従って説明する。
図１と図２には、本発明の発電装置に似た発電装置の好適な実施の形態が示され、図３と図４には、本発明の発電装置の好適な実施の形態が示されている。
【００１９】
これらの発電装置は、図１又は図３に示したように、下端が広く開口したほぼ方形枠体状をした縦長の枠体１０内側の前後に、一対の回転軸２０が枠体１０内側を横断して、回転自在に並べて架設されている。そして、その枠体１０内側の前後一対の回転軸２０の周囲に亙って、縦長のコンベヤ３０が、その下方の巡回部３２を枠体の下端開口部周縁１２とほぼ同一平面上に位置させて、ほぼ水平方向に向けて、その巡回部３２がほぼ垂直面内をループ状に巡回するように支持されている。枠体１０は、その枠体１０内側に支持されたコンベヤ３０の巡回方向が川流水（川を流れる水をいう）又は海流水（海を流れる水をいう）の進行方向を向くように、川底又は海底から立設された前後一対のガイド棒５０の周囲に、ブッシュ５２及び後述のフロート４０を介して、上下方向に摺動自在に支持されている。コンベヤの巡回部３２外側の長手方向に沿っては、川流水又は海流水を流入させるための複数のバケット６０が、そのコンベヤの下方側の巡回部３２外側に並ぶ複数のバケットの開口部６２が川流水又は海流水の進行方向とは逆方向を向くように、その開口部６２をコンベヤ３０を巡回させる方向とは逆方向に向けて、所定のピッチで並べて付設されている。そして、そのコンベヤの下方側の巡回部３２外側に並ぶ複数のバケット６０のそれぞれに、その開口部６２から枠体１０下方を流れる川流水又は海流水が流入するように構成されている。枠体１０の前後には、その枠体１０内側にコンベヤ３０を支持する回転軸２０が川流水又は海流水の水面近くに位置するように、その枠体１０を川流水又は海流水の水面に浮かせた状態とするための空気等の気体の入った一対のフロート（浮袋）４０がそれぞれ付設されている。コンベヤの巡回部３２を巡回可能に支持する枠体１０後部の回転軸２０であって、コンベヤ３０の巡回に伴って回転する回転軸２０には、発電機７０が連結されている。発電機７０と回転軸２０とは、図２又は図４に示したように、チェーン４２、スプロケット４４及び増速機８０を介して、発電機の駆動軸７２に連結されている。そして、コンベヤ３０の巡回に伴って回転する回転軸２０の回転力を受けて、発電機７０が、増速機８０等を介して、高速回転するように構成されている。発電機７０脇部には、発電機７０から発生させた電力を一時貯留するための、蓄電器９０が備えられている。
【００２０】
さらに、図３と図４に示した発電装置においては、海面近くを海流水の進む方向とは逆方向に戻る波により、コンベヤの下方側の巡回部３２外側に並ぶ複数のバケット６０が、海流水の進行方向とは逆方向に押し戻されて、コンベヤ３０が逆方向に巡回するのを防ぐための、逆転防止機構１００が備えられている。逆転防止機構１００には、汎用のラチェット機構が用いられている。逆転防止機構１００は、図４に示したように、コンベヤ３０を支持する回転軸２０の回転力を発電機の駆動軸７２に伝える軸部分に備えられている。
【００２１】
図１と図２又は図３と図４に示した川流水又は海流水利用の発電装置は、以上のように構成されていて、これらの発電装置においては、川底又は海底から立設されたガイド棒５０の周囲に支持された枠体１０を上下方向に適宜量移動させて、枠体１０内側にコンベヤ３０を支持する回転軸２０が川流水又は海流水の水面近くに位置するように、枠体１０を、枠体１０前後に付設されたフロート４０により、川流水又は海流水の水面に浮かせた状態とすることができる。そして、その枠体の下端開口部周縁１２とほぼ同一平面上に位置するコンベヤの下方側の巡回部３２外側に並ぶ枠体１０下方に突出する複数のバケット６０を、その開口部６２を川流水又は海流水の進行方向とは逆方向に向けて、枠体１０下方の川流水又は海流水中に浸漬させた状態とすることができる。そして、そのコンベヤの下方側の巡回部３２外側に並ぶ複数の各バケット６０に、その開口部６２から枠体１０下方を流れる川流水又は海流水を流入させることができる。そして、その複数の各バケット６０に流入させた川流水又は海流水の持つ運動エネルギ（衝撃力）により、その複数の各バケット６０が付設されたコンベヤの下方側の巡回部３２を、川流水又は海流水の進行方向に巡回させることができる。そして、そのコンベヤ３０が巡回するのに伴って、コンベヤ３０を支持する枠体１０前後の回転軸２０を回転させることができる。そして、その枠体１０後部の回転軸２０に連結された発電機７０を増速機８０等を介して高速回転させて、その発電機７０に電力を発生させることができる。発電機７０から発生させた電力は、蓄電器９０に一時貯留できる。
【００２２】
コンベヤの下方側の巡回部３２外側に並ぶ複数の各バケット６０内に流入した川流水又は海流水は、その川流水又は海流水を貯留したバケット６０が、コンベヤの下方側の巡回部３２外側に沿ってコンベヤの下方側の巡回部３２と共に川流水又は海流水の進行方向に移動して、コンベヤ前端の巡回部３２外側に達し、その開口部６２が下方を向いた状態となった際に、バケット６０外部に排出できる。そして、その川流水又は海流水を、枠体１０下方に排出できる。
【００２３】
川流水又は海流水を排出して空となったバケット６０は、コンベヤの上方側の巡回部３２外側を川流水又は海流水の進行方向とは逆方向に巡回させて、コンベヤの下方側の巡回部３２外側に再び移動、復帰させることができる。
以下、同様な動作を繰り返し行うことができる。
【００２４】
その際には、コンベヤの下方側の巡回部３２外側に所定のピッチで並ぶ開口部６２が川流水又は海流水の進行方向とは逆方向を向く複数のバケット６０のそれぞれに流入した川流水又は海流水を、その複数のバケット６０内からバケット６０外部に漏れ出させずに滞留させたままの状態で、ほぼ水平方向を向くコンベヤの下方側の巡回部３２に沿ってコンベヤの下方側の巡回部３２と共に川流水又は海流水の進行方向に向けて長距離に亙って巡回させ続けることができる。そして、その複数のバケット６０内に流入した川流水又は海流水の持つ運動エネルギ（衝撃力）の多くを、その川流水を又は海流水を流入させた複数のバケット６０を介して、その複数のバケット６０が付設されたコンベヤの巡回部３２に長時間に亙って伝え続けることができる。そして、その複数のバケット６０内に流入した川流水又は海流水の持つ運動エネルギの多くを、コンベヤ３０を巡回させるエネルギに有効利用できる。その結果、その複数のバケット６０内に流入した川流水又は海流水の持つ運動エネルギの多くを、コンベヤ３０の巡回に伴って回転するコンベヤ３０を支持する回転軸２０に連結された発電機７０を回転させるエネルギに無駄なく有効活用できる。
【００２５】
また、その際には、枠体１０に付設されたフロート４０を用いて、枠体１０内側にコンベヤ３０を支持する回転軸２０が川流水又は海流水の水面近くに位置するように、枠体１０を川流水又は海流水の水面に浮かせた状態とすることができる。そして、その枠体１０内側に支持されたコンベヤの上方側の巡回部３２と、その巡回部３２外側に付設された複数のバケット６０を、川流水又は海流水の水面上方に突出させた状態とすることができる。そして、それらの巡回部３２と複数のバケット６０とを、水中ではなくて、移動抵抗の小さい空気中を過大な負荷を掛けずに抵抗少なく円滑に巡回させたり移動させたりできる。そして、川流水又は海水流の持つ運動エネルギの多くを、複数のバケット６０が付設されたコンベヤの巡回部３２を巡回させるためのエネルギに無駄に消費せずに、発電機７０を回転さるためのエネルギに有効転用できる。
【００２６】
また、図３と図４に示した発電装置を海流水を利用して駆動させた際には、海面近くを海流水の進む方向とは逆方向に戻る波により、コンベヤの下方側の巡回部３２外側に並ぶ複数のバケット６０が、海流水の進行方向とは逆方向に押し戻されて、その複数のバケット６０が付設されたコンベヤの下方側の巡回部３２が、海流水の進行方向とは逆方向に巡回するのを、逆転防止機構１００を用いて、防止できる。そして、そのコンベヤの巡回部３２が逆方向に巡回するのに伴って、コンベヤ３０を支持する回転軸２０が該軸に連結された発電機７０と共に逆回転し、発電機７０の発電能力が低下するのを、防ぐことができる。
【００２７】
これらの川流水又は海流水利用の発電装置においては、図１や図３に示したように、ガイド棒５０周囲に上下方向に摺動自在に支持された枠体１０が、ガイド棒５０周囲を下方に降下し過ぎた状態となるのを防ぐための、ストッパ機構１１０を備えると良い。ストッパ機構１１０は、ガイド棒５０の中途部周囲に突設された突起等から構成すると良い。そして、そのストッパ機構１１０を用いて、川流水又は海流水の水量が低下した際に、ガイド棒５０周囲に支持された枠体１０がコンベヤ３０と共に、ガイド棒５０周囲を下方に降下し過ぎて、川底又は海底に接した状態となるのを、防ぐと良い。そして、その枠体１０やコンベヤ３０に付設されたバケット６０が川底又は海底に引っ掛かった状態となって、枠体１０がガイド棒５０周囲を円滑に上方に摺動、復帰できなくなるのを、防ぐと良い。
【００２８】
また、これらの川流水又は海流水利用の発電装置においては、図１や図３に示したように、コンベヤの巡回部３２外側の長手方向に沿って並べて付設された複数の各バケットの開口部６２外側縁に、川流水又は海流水をバケット６０内に流入させるためのガイド板６４を、バケット６０の胴部側とは反対側の斜め外方に向けて起立させて備えると良い。そして、そのガイド板６４を利用して、川流水又は海流水の多くを、その川流水又は海流水が通過する水中に浸漬されたコンベヤの下方側の巡回部３２外側に並ぶ複数のバケット６０のそれぞれに、その川流水又は海流水の進行方向とは逆方向を向く開口部６２からバケット６０外部にこぼさずに円滑に流入させるようにすると良い。そして、その川流水又は海流水の多くが、コンベヤの下方側の巡回部３２外側に並ぶ複数のバケット６０のそれぞれに流入せずに、枠体１０下方を無駄に通過してしまうのを、防ぐと良い。そして、その川流水又は海流水の持つ運動エネルギの多くを、コンベヤ３０を巡回させるエネルギに有効活用できるようにすると、良い。
【００２９】
また、これらの川流水又は海流水利用の発電装置においては、図５と図６に示したように、川流水又は海流水をコンベヤの下方側の巡回部３２外側に並ぶバケットの開口部６２近くに集めて、そのバケット６０内に流入させるためのガイド堰１２０を、川底又は海底近くに設置すると良い。そして、そのガイド堰１２０を用いて、川流水又は海流水をコンベヤの下方側の巡回部３２外側に並ぶバケットの開口部６２近くに集めて、そのバケット６０内に効率よく大量に流入させるようにすると良い。そして、そのバケット６０内に流入させた大量の川流水又は海流水の持つ大きな運動エネルギを用いて、そのバケット６０が付設されたコンベヤの巡回部３２を川流水又は海流水の進行方向に力強く円滑に巡回させると良い。
【００３０】
また、これらの川流水又は海流水利用の発電装置においては、図１や図３や図５に示したように、コンベヤ３０を、チェーンとスプロケットとを組み合わせたものから構成すると良い。そして、そのチェーンとスプロケットとの組み合わせからなるコンベヤ３０を、潤滑剤として働く川流水又は海流水により、スリップさせずに、ほぼ垂直面内を的確に巡回させることができるようにすると、良い。そして、そのチェーンの巡回に伴って、チェーンを支持するスプロケットの回転軸、即ちコンベヤ３０を支持する回転軸２０に連結された発電機７０を、チェーンの巡回方向に確実に回転させることができるようにすると良い。その際には、潤滑剤として働く川流水又は海流水を用いて、チェーンをスプロケット周囲を噛み合い抵抗少なく円滑に巡回させることができるようにすると、良い。
【産業上の利用可能性】
【００３１】
本発明の川流水又は海流水利用の発電装置は、自然界に存在する川流水又は海流水の持つ運動エネルギを利用して発電する地球環境に優しい省エネ対策用の電力供給源として、広く有効利用可能である。
【図面の簡単な説明】
【００３２】
【図１】本発明の川流水又は海流水利用の発電装置に似た発電装置の概略構造を示す正面断面図である。
【図２】本発明の川流水又は海流水利用の発電装置に似た発電装置の側面図である。
【図３】本発明の川流水又は海流水利用の発電装置の概略構造を示す正面断面図である。
【図４】本発明の川流水又は海流水利用の発電装置の側面図である。
【図５】本発明のもう一つの川流水又は海流水利用の発電装置の概略構造を示す正面断面図である。
【図６】図５に示した川流水又は海流水利用の発電装置のガイド堰周辺の平面図である。
【符号の説明】
【００３３】
１０  枠体
２０  回転軸
３０  コンベヤ
３２  巡回部
４０  フロート
４２  チェーン
４４  スプロケット
５０  ガイド棒
６０  バケット
６４  ガイド板
７０  発電機
９０  蓄電器
１００  逆転防止機構
１１０  ストッパ機構
１２０  ガイド堰
【図１】
0003942103.tif 000002
【図２】
0003942103.tif 000003
【図３】
0003942103.tif 000004
【図４】
0003942103.tif 000005
【図５】
0003942103.tif 000006
【図６】
0003942103.tif 000007